(57)【要約】【課題】  人工芝面の形態をゴルフコースのグリーンのアンジュレーションを想定した練習パターンを簡易且つ迅速に設定ができ、尚且つ軽量で安価なゴルフパター練習用マットを提供すること。【解決手段】  任意の面積にて折り曲げ自在な柔軟性のあるシート状のもので製作された容器２をゴルフパター練習用マットの人工芝１裏面に設け、前記容器２内に予備発泡させたポリスチレンビーズ８を収納し、人工芝１面の下降させたい部位Ｂを軽く人為的に加圧することで、容器２内に収納された予備発泡させたポリスチレンビーズ８は加圧した部位から無加圧部方向に移動し、簡易且つ迅速にアンジュレーションの設定が出来る効果がある。【選択図】        図１
2005319237.tif 000002
【特許請求の範囲】
【請求項１】
人工芝等で製作されたゴルフパター練習用マットで、前記人工芝裏面に折り曲げ自在で柔軟性のあるシート状のもので製作された容器或いは袋状のものを人工芝裏面全面に、もしくは任意の面積にして設けたゴルフパター練習用マット
【請求項２】
請求項１で、人工芝裏面に設けられた容器或いは袋状内に発泡スチロールの原料である顆粒状のポリスチレンビーズを体積にして２倍以上に予備発泡させたポリスチレンビーズを収納して設けたことを特徴とした請求項１記載のゴルフパター練習用マット。
【請求項３】
請求項１記載の人工芝裏面と床面との間に折り曲げ自在な柔軟性のあるシート状のもので任意の面積にして製作された容器或いは袋状内に請求項２記載のポリスチレンビーズを収納して設けたことを特徴とした請求項１記載のゴルフパター練習用マット
【発明の詳細な説明】
【発明の詳細な説明】
【技術分野】
【０００１】  本発明は、既製品で単純な単一面の形態の人工芝等で製作されたゴルフパター練習用マットを、人工芝の面においてゴルフコースのグリーンでのアンジュレーションの形態を簡易且つ迅速に設定できるようにすることが目的で、一般に市販されている既存のゴルフパター練習用マットは人工芝の面が単純で、ボールが最初にセットされるスタート部の人工芝面が床面とほぼ同じ高さで設定され、カップ穴の少し手前で傾斜角を設け、カップ穴付近で一段高くなった形態が多い。これを人工芝等で製作されたゴルフパター練習用マットの人工芝裏面に柔軟性のあるシート状のもので製作された容器或いは袋状（以下、単に容器という）のものを設け、前記容器内に発泡スチロールの原料である顆粒状のポリスチレンビーズを体積にして２倍以上に予備発泡させたポリスチレンビーズを収納して設け、前記人工芝の上面を人為的に加圧する圧力の強弱により予備発泡させたポリスチレンビーズは人為的加圧部の外周に移動する原理を応用した形態をとることで人工芝の任意の面を任意の高さで簡易且つ迅速にゴルフコースのグリーンでのアンジュレーションの形態に模して調整設定できるように改良し、実際のゴルフコースのグリーン状況と違わないような臨場感を与えるゴルフパター練習用マットの発明に関する。
【背景技術】
【０００２】  屋内等で使用される既成の人工芝等で製作されたゴルフパター練習用マットの典型的な先行技術は実開平０２−０３２８７０号、実開平０２−０３９７７７号、実開平７−０２７６４５号等々が開示されているように、多くのゴルフパター練習用マットは人工芝の面が単純で、一般にオフィスや自宅等の屋内で床面にゴルフパター練習用マットをひいてパターの練習を行うが、打ち始めのボールをセットする位置よりカップ穴の少し手前まで人工芝の面が床面とほぼ同じ高さで設定され、カップ穴の少し手前から傾斜角を設け、カップ穴付近で一段高くなった形態、或いはカップ穴の少し手前より設けられた傾斜角の距離を長くして設けた形態が多く練習パターンが非常に単純であった。【０００３】  或いは、実開平６−０６６７４４号で開示されているようにカップ穴がある周辺一部分のみ高さ調整が出来るもの、または特開２００２−３３６３９４号で開示されているようなボールの打ち始めの部分からカップ穴がある周辺一部分までの傾斜角を設定出来るものがあるが、これもカップ穴周辺部までの傾斜角設定のみ変化させる形態で、ゴルフコースのグリーンのアンジュレーションを模しているとは言いがたい。【０００４】また、ゴルフコースのグリーンのアンジュレーションを想定した設定ができるものが特開平０９−２１５８０６号、特開平０９−０１９５２５号、特開平１１−０１９２６６号、特開２００２−２７２８９２号、特開２００２−３２０６９７号、実開平０２−１４７１６１号、実登第３０２１４９５号等々開示されているが、どれも空気圧あるいは油圧等を利用した機構的にも複雑なものが多く、人工芝面を傾斜させる単純な形態が多く製造コストもかかり、重量も重くなり簡単に持ち運べるものが無かった。【０００５】また、特開平１１−１６４９２６で開示されているのがもっともゴルフコースのグリーン芝面のアンジュレーションを模した設定が可能な考案と思われる形態のものがあるが、セラミック等の粒状物を充填した防水シートの内部に水等の液体を流入させ、水等の液体によりセラミック等の摩擦抵抗値を下げ動きやすくする手法をとっているため、屋内にて簡易且つ迅速にセッティングできるものとは程遠く、且つ防水シート内に給水管あるいは給排水又はエアー排気の為の設備を設けなければならず、また床面と支持板との間に設けた上昇、下降ジャッキ等も含めて全体の部品構成においても、或いはセラミック等の粒状物及び水を充填させたときの重量を支える為の支持板もかなりの重量にならざるを得ない形態でかなり高価になり、一般消費者の購買心をあおる価格帯には程遠く、既存の販売店で見かけることが無いのが現状である。【０００６】  また、屋内で使用することが主体のゴルフパター練習用マットは屋内等にて簡易且つ迅速にゴルフパター練習用マットをセッティングする必要性があるため、重量がかさむとかセッティングに時間がかかる、或いは収納が大変である等簡便さが欠けるゴルフパター練習用マットは致命傷となる。【０００７】  このように人工芝面が微妙にゴルフコースのグリーンのアンジュレーションを想定した設定が容易にできるもので安価なものが無く、人工芝面も単純な形態である為ゴルフコースのグリーン芝面のアンジ���レーションとかけ離れた形態になっていることが常であり、消費者はゴルフパター練習用マットを購入し自宅やオフィスにて頻繁に練習を行ってもゴルフコースのグリーンでは練習の成果を発揮することはなかなか難しい。【０００８】  また、人工芝面が単純な形態である為購入当初盛んに練習するが、ゴルフボールの打球が単純に真直ぐ転がるだけで、ゴルフコースのグリーンでの打球のように変化のある転がり方はせず、長期にわたる練習も飽きてしまい、自宅やオフィスの隅で埃をかぶったまま忘れ去られることが大変多い。
【発明の開示】
【本発明が解決しようとする課題】
【０００９】  そこで、上記問題点を解決し、人工芝面の形態が単純である為ゴルフコースのグリーンのアンジュレーションを想定した練習パターンを設定ができるものが無く、ゴルフボールの打球が単純に真直ぐ転がるだけでのゴルフパター練習用マットを、自分でゴルフコースのグリーンでの微妙なアンジュレーションの状態を想定して、簡易且つ迅速に設定できるようにしたゴルフパター練習用マットを提供することを目的とする。
【課題を解決する為の手段】
【００１０】  本発明に係るゴルフパター練習用マットの構成は次のとおりである。  （請求項１）  人工芝等で製作されたゴルフパター練習用マットで、前記人工芝裏面に折り曲げ自在で柔軟性のあるシート状のもので製作された容器或いは袋状のものを人工芝裏面全面に、もしくは任意の面積にして設けて成る。  （請求項２）    請求項１で、人工芝裏面に設けられた容器或いは袋状内に発泡スチロールの原料である顆粒状のポリスチレンビーズを体積にして２倍以上に予備発泡させたポリスチレンビーズを収納して設けて成る。  （請求項３）    請求項１記載の人工芝裏面と床面との間に折り曲げ自在な柔軟性のあるシート状のもので任意の面積にして製作された容器或いは袋状内に請求項２記載のポリスチレンビーズを収納して設けて成る。
【００１１】  （作用）  上記構成のゴルフパター練習用マットは、人工芝等で製作されたゴルフパター練習用マットの人工芝１裏面に折り曲げ自在な柔軟性のあるシート状のもので製作された容器２を人工芝１裏面全面に、もしくは任意の面積にして設け、前記容器２内に予備発泡させたポリスチレンビーズ８を収納して設け、前記人工芝１面の下降させたい部分Ｂの上面を人為的に加圧することで、加圧された部位の人工芝１裏面の容器２内に収納して設けられた予備発泡させたポリスチレンビーズ８は人為的に加圧した部分から無加圧部に移動する。また人工芝１面の上昇させたい部分は上昇させたい部分ａ或いはｂ以外の周辺部位を人為的に加圧することで人工芝１面を上昇させることが可能となり、人工芝１の上面を人為的に加圧する圧力の強弱により人工芝１の任意の面を任意の高さで簡易且つ迅速に微妙なスライスライン或いはフックライン等のアンジュレーション調整設定ができる。
【発明実施の形態】
【００１２】  以下図１より図８に基づき本発明によるゴルフパター練習用マットの好適な実施形態を説明する。
【００１３】  本発明の実施形態では、実際のゴルフコースのグリーン状況と違わないような臨場感を与え、十分に練習の成果を発揮することが可能なゴルフパター練習用マットで、図５の如く、従来品の人工芝の芝面が単純で、打ち始めのスタート部からカップ穴の少し手前まで人工芝面が床面とほぼ同じ高さで設定され、カップ穴の少し手前より傾斜角が設定されてカップ穴付近で一段高くなったもの、或いはカップ穴の少し手前からカップ穴近辺まで傾斜角４をもたせた形態、或いは機構的にも複雑形態の傾斜角を設定できる形態、或いは特開平１１−１６４９２６で開示されているゴルフパター練習用マットと比較した例をとって説明する。
【００１４】  図８の如く、折り曲げ自在な柔軟性のあるシート状のもので製作された容器２をゴルフパター練習用マットの人工芝１裏面全面に、もしくは任意の面積にして設け、前記容器２内に予備発泡させたポリスチレンビーズ８を収納して設ける。
【００１５】  例えば図３の如く、前記人工芝１面の下降させたい部位Ｂの上面を人為的に加圧することで、加圧された部位の人工芝１裏面の容器２内に収納して設けられた予備発泡させたポリスチレンビーズ８は人為的に加圧した部位から無加圧部Ｄ▲１▼、Ｄ▲２▼、Ｄ▲３▼、Ｄ▲４▼、Ｄ▲５▼の矢印方向に移動し、図４の如く形態になり人工芝１の任意の面を任意の高さで微妙なスライスライン、フックラインのアンジュレーション調整設定、或いは部分的に人工芝１面に微妙なアンジュレーション調整設定を簡易且つ迅速に行うことができる効果がある。
【００１６】  前記の形態を図２の斜視図にて説明すると、図２−１の如く下降させたい部位Ｂの上面を人為的に加圧することで、図２−２の如く下降させたい部位Ｂの人工芝１裏面の容器２内に収納して設けられた予備発泡させたポリスチレンビーズ８はＣ矢印方向に移動し、人工芝１面の上昇させたい部位ｂが上昇した形態となる
【００１７】  上記解決手段の例として図６の如く、人工芝１面の下降させたい部位Ｃに足もしくは手等により軽く人為的に人工芝１面を加圧することで、人為的に加圧し下降させたい部位Ｃの人工芝１裏面の容器２内に収納して設けられた予備発泡させたポリスチレンビーズ８は人為的に加圧した部位から無加圧部Ｆ▲１▼、Ｆ▲２▼矢印方向に移動し、人工芝１面の下降させたい部位が下降した形態になる。
【００１８】  また、前記容器２内に収納された予備発泡させたポリスチレンビーズ８は現在市販されている癒しのクッションのクッション材として利用されるほど価格的にも非常に安く、とくにクッションのやわらかい感触と軽さを得る為に発泡スチロールの原料である顆粒状のポリスチレンビーズの予備発泡率を下げて予備発泡させたポリスチレンビーズの流動性をさらに良くしたものをクッション材に使用されているぐらい流動性が良いが、ゴルフパター練習用マットに使用する予備発泡させたポリスチレンビーズ８はクッション材に使用するほど流動性を求めないので重量を軽くする目的も含めて発泡率を上げて摩擦抵抗を多くし容器２内に収納していることで、人工芝１上面を人為的なわずかな加圧力で容易にアンジュレーションの調整設定が可能になる効果がある。
【００１９】  前記記述の如く人工芝１上面を人為的に加圧する圧力の強弱により、人工芝１裏面の容器２内に収納して設けられた予備発泡させたポリスチレンビーズ８は流動性の良さも相俟って、人工芝の任意の面を任意の高さで簡易に且つ迅速にアンジュレーションの調整設定ができ、尚且つ非常に軽量なゴルフパター練習用マットを製作できる効果がある。
【００２０】  また、図７の如く任意の面積で折り曲げ自在な柔軟性のあるシート状のもので製作された容器７内に予備発泡させたポリスチレンビーズを収納して設けた容器７をゴルフパター練習用マットの人工芝裏面と床面との間に設けた形態も本発明と同様の効果がある。
【発明の効果】
【００２１】  以上の説明の如く本発明であれば、非常に軽く流動性の良い予備発泡させたポリスチレンビーズを人工芝裏面に設けることで、人工芝等で製作されたゴルフパター練習用マットの人工芝上面を人為的に加圧する圧力の強弱により、人工芝の任意の面を任意の高さで簡易且つ迅速に微妙なスライスライン或いはフックラインのアンジュレーションの調整設定ができ、尚且つ軽量で安価なゴルフパター練習用マットを製作することが可能となる。
【図面の簡単な説明】
【００２２】
【図１】本発明に係るゴルフパター練習用マットの一実施形態で、その斜視図。
【図２】図１のＡ方向から見た人工芝面の動きの形態を説明する斜視図。
【図３】図１の人工芝上面よりＢ部位を加圧したときの予備発泡させたポリスチレンビーズ８の移動する方向の状況を説明する平面図。
【図４】図３の作用を補足説明する斜視図。
【図５】既成品のゴルフパター練習用マットの形態を説明する斜視図。
【図６】ゴルフパター練習用マットの起伏を変える作業工程を説明する要部説明断面図。
【図７】人工芝裏面と床面との間に容器７を設けたときの状況を説明する斜視図。
【図８】人工芝裏面に設けられた容器２と容器２内に収納された予備発泡させたポリスチレンビーズ８を説明する断面図。
【符号の説明】
【００２３】Ａ    図２の斜視図方向を示すＢ、Ｃ    下降させたい部位Ｄ▲１▼、Ｄ▲２▼、Ｄ▲３▼、Ｄ▲４▼、Ｄ▲５▼、Ｆ▲１▼、Ｆ▲２▼    予備発泡させたポリスチレンビーズ８の移動方向Ｅ    人為的に加圧し下降させたい部位ａｂ  上昇させたい部位１    人工芝２    容器３    カップ穴４    傾斜角を設けた人工芝面５    人工芝面の加圧により形態が変化した容器６    人工芝裏面と床との間に容器７を挿入する位置７    容器８    予備発泡させたポリスチレンビーズ
【図１】
2005319237.tif 000003
【図２】
2005319237.tif 000004
【図３】
2005319237.tif 000005
【図４】
2005319237.tif 000006
【図５】
2005319237.tif 000007
【図６】
2005319237.tif 000008
【図７】
2005319237.tif 000009
【図８】
2005319237.tif 000010